【手続補正書】
【提出日】平成16年11月4日(2004.11.4)
【手続補正１】
【補正対象書類名】明細書
【補正対象項目名】特許請求の範囲
【補正方法】変更
【補正の内容】
【特許請求の範囲】
【請求項１】  ハンドオーバーに関連したパケット交換データ伝送におけるデータパケット番号付けの方法であって、接続のための責任が移動局と第１の無線通信ネットワークとの間の接続から前記移動局と第２の無線通信ネットワークとの間の接続に転送され、前記第１の無線通信ネットワークにおいてはデータパケット番号付けのために使用可能なデータパケット番号空間が前記第２の無線通信ネットワークのデータパケット番号空間よりも大きい方法において、
前記第１の無線通信ネットワークの前記データパケットの番号が前記第２の無線通信ネットワークの前記データパケット番号空間の最大値を超えないように、前記第１の無線通信ネットワークにおけるデータパケット番号付けを制限する
ことを特徴とする方法。
【請求項２】  前記第１および第２の無線通信ネットワークの通信プロトコルが、ユーザデータパケットを集束プロトコルパケットに適合させるための集束プロトコル層（ＰＤＣＰ、ＳＮＤＣＰ）と、前記集束プロトコルパケット（ＰＤＣＰ−ＰＤＵ）をデータユニット（ＲＬＣ−ＰＤＵ）として送信するための、および、前記送信を肯定応答するためのリンク層（ＲＬＣ、ＬＬＣ）とを含むことを特徴とする請求項１に記載の方法。
【請求項３】  送信される肯定応答されていないデータパケットの数を多くとも２５５データパケット（ＰＤＣＰ−ＰＤＵ）に制限することを特徴とする、請求項１又は２に記載の方法。
【請求項４】  集束プロトコル層上のバッファに置かれるべき肯定応答されていないデータパケットの数を２５５データパケットに制限することを特徴とする、請求項３に記載の方法。
【請求項５】  前記リンク層上で送信される肯定応答されていないデータパケットの数を２５５データパケットに制限することを特徴とする、請求項３に記載の方法。
【請求項６】  前記リンク層上で送信される肯定応答されていないデータパケットの数がほぼ２５５であることに応答して、前記リンク層上で送信されるべき前記データユニットの送信窓のサイズを、データパケット全体の送信を可能にしないほど小さく制限することを特徴とする、請求項５に記載の方法。
【請求項７】  前記ＰＤＣＰ層より上のＴＣＰ層のようなアプリケーションレベルのプロトコル層の送信窓のサイズを２５５データパケットであるように制限することを特徴とする請求項２に記載の方法。
【請求項８】  前記移動局と前記第１の無線通信ネットワークとの間の前記パケット交換データ伝送に使用される前記データパケット番号空間を、前記第２の無線通信ネットワークの前記データパケット番号空間に一致するように制限することを特徴とする、請求項１又は２に記載の方法。
【請求項９】  前記移動局と前記第１の無線通信ネットワークとの間の前記パケット交換データ伝送において通常のデータパケット番号空間を使用し、
前記通信ネットワークがハンドオーバーを準備することに応答して、前記移動局と前記第１の無線通信ネットワークとの間の前記パケット交換データ伝送に使用される前記データパケット番号空間を、前記第２の無線通信ネットワークの前記データパケット番号空間に一致するように制限すること、
とを特徴とする請求項８に記載の方法。
【請求項１０】  前記通信ネットワークと、前記通信ネットワークにハンドオーバーの準備をするように指示する前記端末との間の前記データ伝送で行われる受信信号の強度の定義に応答して前記制限を行うことを特徴とする、請求項４、５、又は９のいずれか一項に記載の方法。
【請求項１１】  前記第１の無線通信ネットワークは、１６ビットデータパケット番号空間を使用するＵＭＴＳネットワークであり、前記第２の無線通信ネットワークは、８ビットデータパケット番号空間を使用するＧＰＲＳネットワークであることを特徴とする、請求項１から１０のいずれか一項に記載の方法。
【請求項１２】  移動局と第１および第２の無線通信ネットワークとを含む通信システムであって、前記移動局と前記第１および第２の無線通信ネットワークは、接続（ハンドオーバー）のための責任を前記移動局と前記第１の無線通信ネットワークとの間の接続から前記移動局と前記第２の無線通信ネットワークとの間の接続に転送するためにパケット交換データ伝送の形に構成されており、前記第１の無線通信ネットワークにおいてはデータパケット番号付けのために使用可能なデータパケット番号空間が前記第２の無線通信ネットワークのデータパケット番号空間よりも大きい通信システムにおいて、
前記第１の無線通信ネットワークでは、前記データパケット番号付けが、前記第１の無線通信ネットワークの前記データパケットの数が前記第２の無線通信ネットワークの前記データパケット番号空間の最大値を超えない形に制限されるように構成されている、
ことを特徴とする通信システム。
【請求項１３】  前記第１および第２の無線通信ネットワークの通信プロトコルが、ユーザデータパケットを集束プロトコルパケットに適合させるための集束プロトコル層（ＰＤＣＰ、ＳＮＤＣＰ）と、前記集束プロトコルパケット（ＰＤＣＰ−ＰＤＵ）をデータユニット（ＲＬＣ−ＰＤＵ）として送信するための、および、前記送信に肯定応答するためのリンク層（ＲＬＣ、ＬＬＣ）とを含むことを特徴とする、請求項１２に記載の通信システム。
【請求項１４】  送信される肯定応答されていないデータパケットの数が多くとも２５５データパケット（ＰＤＣＰ−ＰＤＵ）に制限されるように構成されていることを特徴とする、請求項１２又は１３に記載の通信システム。
【請求項１５】  前記集束プロトコル層においてバッファに置かれるべき肯定応答されていないデータパケットの数が２５５データパケットに制限されるように構成されていることを特徴とする、請求項１４に記載の通信システム。
【請求項１６】  前記リンク層上で送信される肯定応答されていないデータパケットの数が２５５データパケットに制限されるように構成されていることを特徴とする、請求項１４に記載の通信システム。
【請求項１７】  前記リンク層上で送信される肯定応答されていないデータパケットの数がほぼ２５５であることに応答して、前記リンク層上で送信されるべき前記データユニットの送信窓のサイズがデータパケット全体の送信を可能にしないほど小さく制限されるように構成されていることを特徴とする、請求項１６に記載の通信システム。
【請求項１８】  前記ＰＤＣＰ層より上のＴＣＰ層のようなアプリケーションレベルのプロトコル層の送信窓のサイズは２５５データパケットに制限されることを特徴とする、請求項１３に記載の通信システム。
【請求項１９】  前記移動局と第１の無線通信ネットワークとの間の前記パケット交換データ伝送に使用される前記データパケット番号空間は、前記第２の無線通信ネットワークの前記データパケット番号空間に一致するように制限されるように構成されていることを特徴とする、請求項１２又は１３に記載の通信システム。
【請求項２０】  通常のデータパケット番号空間が、前記移動局と前記第１の無線通信ネットワークとの間の前記パケット交換データ伝送において使用されるように構成されており、
前記移動局と第１の無線通信ネットワークとの間の前記パケット交換データ伝送に使用される前記データパケット番号空間は、前記通信ネットワークがハンドオーバーを準備することに応答して前記第２の無線通信ネットワークの前記データパケット番号空間に一致するように制限されるように構成されている、
ことを特徴とする、請求項１９に記載の通信システム。
【請求項２１】  前記制限は、前記通信ネットワークと、前記通信ネットワークにハンドオーバーの準備をするように指示する前記端末との間の前記データ伝送で行われる受信信号の強度の定義に応答して行われるように構成されていることを特徴とする、請求項１５、１６、又は２０のいずれか一項に記載の通信システム。
【請求項２２】  前記第１の無線通信ネットワークは、１６ビットデータパケット番号空間を使用するＵＭＴＳネットワークであり、前記第２の無線通信ネットワークは、８ビットデータパケット番号空間を使用するＧＰＲＳネットワークであることを特徴とする、請求項１２から２１のいずれか一項に記載の通信システム。
【請求項２３】  パケット交換データ通信システムのための端末装置であって、前記端末装置は、接続（ハンドオーバー）のための責任を前記移動局と第１の無線通信ネットワークとの間の接続から前記移動局と第２の無線通信ネットワークとの間の接続に転送するようにパケット交換データ伝送において構成されており、前記第１の無線通信ネットワークにおいては、データパケット番号付けのために使用可能なデータパケット番号空間が前記第２の無線通信ネットワークのデータパケット番号空間よりも大きく、および、前記端末装置は、前記データパケットの数が前記第２の無線通信ネットワークの前記データパケット番号空間の最大値を超えないように、伝送されるべきデータパケットのデータパケット番号付けを制限するように構成されている端末装置。
【請求項２４】  前記端末装置は、前記第１の無線通信ネットワークから送信されるべきデータパケットのデータパケット番号付けを前記第２の無線通信ネットワークのデータパケット番号付けに一致するように変換するように構成されている、請求項２３に記載の端末装置。
【請求項２５】  前記端末装置は、前記第１および第２の無線通信ネットワークの通信プロトコルをサポートするように構成されており、前記プロトコルは、ユーザデータパケットを集束プロトコルパケットに適合させるための集束プロトコル層（ＰＤＣＰ、ＳＮＤＣＰ）と、前記集束プロトコルパケット（ＰＤＣＰ−ＰＤＵ）をデータユニット（ＲＬＣ−ＰＤＵ）として送信するための、および、送信に肯定応答するためのリンク層（ＲＬＣ、ＬＬＣ）とを含む、請求項２３に記載の端末装置。
【請求項２６】  前記端末装置は、送信される肯定応答されていないデータパケットの数をほぼ２５５データパケット（ＰＤＣＰ−ＰＤＵ）に制限するように構成されている、請求項２３に記載の端末装置。
【請求項２７】  前記端末装置は、前記集束プロトコル層内のバッファに置かれるべき肯定応答されていないデータパケットの数を２５５データパケットに制限するように構成されている、請求項２５に記載の端末装置。
【請求項２８】  前記端末装置は、リンク層上で送信される肯定応答されていないデータパケットの数を制限するように構成されており、２５５データパケットに制限されるように構成されている、請求項２５に記載の端末装置。
【請求項２９】  前記リンク層上で送信される肯定応答されていないデータパケットの数がほぼ２５５であることに応答して、前記端末装置は、前記リンク層上で送信されるべき前記データユニットの送信窓のサイズがデータパケット全体の送信を可能にしない程度に小さく制限するように構成されている、請求項２８に記載の端末装置。
【請求項３０】  前記端末装置は、ＰＤＣＰ層より上のＴＣＰ層のようなアプリケーションレベルのプロトコル層の送信窓のサイズを２５５データパケットであるように制限するように構成されている、請求項２５に記載の端末装置。
【請求項３１】  前記端末装置は、前記移動局と前記第１の無線通信ネットワークとの間のパケット交換データ伝送に使用されるデータパケット番号空間を、前記第２の無線通信ネットワークのデータパケット番号空間に一致するように制限するように構成されている、請求項２３に記載の端末装置。
【請求項３２】  前記端末装置は、前記移動局と前記第１の無線通信ネットワークとの間の前記パケット交換データ伝送において通常のデータパケット番号空間を使用するように構成されており、および、
前記端末装置は、前記第１の通信ネットワークと前記第２の通信ネットワークとがハンドオーバーを準備することに応答して、前記移動局と前記第１の無線通信ネットワークとの間のパケット交換データ伝送において使用されるデータパケット番号空間を、前記第２の無線通信ネットワークのデータパケット番号空間に一致するように制限するように構成されている、請求項３１に記載の端末装置。
【請求項３３】  前記端末装置は、送信される肯定応答されていないデータパケットの数をほぼ２５５データパケットに制限することと、受信された信号の強度の定義に応答して、前記集束プロトコル層内のバッファに置かれるべき肯定応答されていないデータパケットを２５５データパケットに制限することとを行うように構成されており、および、このことは、前記第１の通信ネットワークと前記第２の通信ネットワークと前記端末装置との間の、前記通信ネットワークにハンドオーバーを準備するように指示するデータ伝送中に行われる、請求項２７に記載の端末装置。
【請求項３４】  前記端末装置は、１６ビットデータパケット番号空間を使用するＵＭＴＳネットワーク、および、８ビットデータパケット番号空間を使用するＧＰＲＳネットワークと通信するように構成されている、請求項２３に記載の端末装置。
【請求項３５】  第１の無線通信システムのネットワーク要素であって、前記ネットワーク要素は、移動局と前記第１の無線通信ネットワークとの間のパケット交換データ伝送接続におけるデータパケット番号付けを制御するように構成されており、
前記ネットワーク要素は、接続のための責任が前記移動局と前記第１の無線通信ネットワークとの間の接続から、前記移動局と、前記第１の無線通信ネットワークの場合よりも小さいデータパケット番号付けのために使用可能なデータパケット番号空間を有する第２の無線通信ネットワークとの間の接続へと転送（ハンドオーバー）される時に、前記データパケットの数が前記第２の無線通信ネットワークのデータパケット番号空間の最大値を超えないように、伝送されるべきデータパケットのデータパケットパケット番号付けを制限するように構成されているネットワーク要素。
【請求項３６】  前記ネットワーク要素は、前記第１の無線通信ネットワークから送信されるべきデータパケットのデータパケット番号付けを前記第２の無線通信ネットワークのデータパケット番号付けに一致するように変換するように構成されている、請求項３５に記載のネットワーク要素。
【請求項３７】  前記ネットワーク要素の前記無線通信ネットワークは、ユーザデータパケットを集束プロトコルパケットに適合させるための集束プロトコル層（ＰＤＣＰ、ＳＮＤＣＰ）と、前記集束プロトコルパケット（ＰＤＣＰ−ＰＤＵ）をデータユニット（ＲＬＣ−ＰＤＵ）として送信するための、および、送信に肯定応答するためのリンク層（ＲＬＣ、ＬＬＣ）とを備える、請求項３５に記載のネットワーク要素。
【請求項３８】  前記ネットワーク要素は、送信される肯定応答されていないデータパケットの数をほぼ２５５データパケット（ＰＤＣＰ−ＰＤＵ）に制限するように構成されている、請求項３５に記載のネットワーク要素。
【請求項３９】  前記ネットワーク要素は、前記集束プロトコル層内のバッファに置かれるべき肯定応答されていないデータパケットの数を２５５データパケットに制限するように構成されている、請求項３７に記載のネットワーク要素。
【請求項４０】  前記ネットワーク要素は、リンク層上で伝送される肯定応答されていないデータパケットの数を制限するように構成されており、２５５データパケットに制限されるように構成されている、請求項３７に記載のネットワーク要素。
【請求項４１】  前記リンク層上で伝送される肯定応答されていないデータパケットの数がほぼ２５５データパケットであることに応答して、前記ネットワーク要素は、前記リンク層上で伝送されるべきデータユニットの送信窓のサイズがデータパケット全体の送信を可能にしない程度に小さく制限するように構成されている、請求項４０に記載のネットワーク要素。
【請求項４２】  前記ネットワーク要素は、ＰＤＣＰ層より上のＴＣＰ層のようなアプリケーションレベルのプロトコル層の送信窓のサイズを２５５データパケットであるように制限するように構成されている、請求項３７に記載のネットワーク要素。
【請求項４３】  前記ネットワーク要素は、前記移動局と前記第１の無線通信ネットワークとの間のパケット交換データ伝送において使用されるデータパケット番号空間を、前記第２の無線通信ネットワークのデータパケット番号空間に一致するように制限するように構成されている、請求項３５に記載のネットワーク要素。
【請求項４４】  前記ネットワーク要素は、前記移動局と前記第１の無線通信ネットワークとの間の前記パケット交換データ伝送において使用されるべき通常のデータパケット番号空間を制御するように構成されており、および、
前記ネットワーク要素は、前記第１の通信ネットワークと前記第２の通信ネットワークとがハンドオーバーを準備することに応答して、前記移動局と前記第１の無線通信ネットワークとの間のパケット交換データ伝送において使用されるデータパケット番号空間を、前記第２の無線通信ネットワークのデータパケット番号空間に一致するように制限するように構成されている、請求項４３に記載のネットワーク要素。
【請求項４５】  前記ネットワーク要素は、送信される肯定応答されていないデータパケットの数をほぼ２５５データパケットに制限することと、受信された信号の強度の定義に応答して、前記集束プロトコル層内のバッファに置かれるべき肯定応答されていないデータパケットを２５５データパケットに制限することとを行うように構成されており、および、このことは、前記第１の通信ネットワークと前記第２の通信ネットワークと前記端末装置との間の、前記通信ネットワークにハンドオーバーを準備するように指示するデータ伝送中に行われる、請求項３９に記載のネットワーク要素。